(57)【要約】  【課題】  筋肉を緩めることによって筋肉のコリや緊張をほぐすストレッチ効果を短時間で得ることができるストレッチ器具を提供する【解決手段】  ポール部３は円柱状に形成され軸方向に長尺なものである。土台部５は横たえたポール部３の軸方向に沿って長尺な平板状に形成され、ポール部３を軸周りに軸回転可能あるいは軸方向に摺動可能に案内する案内溝が形成されている。可動部７は、ポール部３を土台部３上で予め定められた回転角度内で軸周りに往復回転させ、あるいは、ポール部３を土台部３上で予め定められた摺動距離内で軸方向に往復移動させる。このストレッチ器具１を用いると、ポール部３に乗ることにより筋肉が緩められ、さらに、ポール部３で体を揺すられることにより筋肉が緩められるので、筋肉を緩める二つの相乗効果により、筋肉のコリや緊張をほぐすストレッチ効果を短時間で得ることができる。  【選択図】  図１
2006149549.tif 000002
【特許請求の範囲】
【請求項１】
軸方向に長尺な円柱状のポール部と、
横たえた前記ポール部を載せ、前記ポール部を軸周りに回転可能に支持しあるいは軸方向に摺動可能に支持する土台部と、
前記ポール部を前記土台部上で予め定められた回転角度内で軸周りに往復回転させ、あるいは、前記ポール部を前記土台部上で予め定められた摺動距離内で軸方向に往復移動させる可動部と
を備えることを特徴とするストレッチ器具。
【請求項２】
請求項１記載のストレッチ器具において、
前記土台部は、
前記ポール部を軸周りに軸回転可能あるいは軸方向に摺動可能に案内する案内溝が形成されていることを特徴とするストレッチ器具。
【請求項３】
請求項１，２いずれか記載のストレッチ器具において、
前記土台部は、
載せている前記ポール部の軸方向に沿って長尺に形成され、
前記可動部は、
前記ポール部の軸方向の一端側に連接され、前記土台部の長手方向の一端に取り付けられていることを特徴とするストレッチ器具。
【発明の詳細な説明】
【技術分野】
【０００１】
本発明は、ストレッチ器具に関する。
【背景技術】
【０００２】
従来より、図７に示すような、ストレッチ用のポール１００がある（非特許文献１）。このポール１００は、筋肉を伸ばすことを念頭においたいわゆるストレッチではなく、筋肉を緩めることによって筋肉のコリや緊張をほぐすストレッチを行うためのものである。
このボール１００は、弾力性のある円柱状の素材で形成されている。このストレッチポール１００を用いてストレッチをする場合、使用者は仰向けになってポール１００の上に横臥する。すると、背骨を頂点として他の部分の筋肉が垂れ下がって緩み、筋肉のコリが緊張が一時的にほぐされる。またポール１００の上に横臥すると筋肉の緊張がほぐされるため、脊柱の本来あるべきナチュラルカーブが形成される。そのため、筋肉のコリや緊張を持続的にほぐすことができる。
【非特許文献１】株式会社ＬＰＮ、ストレッチポールシリーズの紹介サイト、インターネット（ＵＲＬ：http://www.lpn-sp.co.jp/item..htm）
【発明の開示】
【発明が解決しようとする課題】
【０００３】
しかし、上記ポール１００の上に単に寝そべっているだけだと、筋肉が徐々にほぐれていくため、期待するストレッチ効果をえるまでに時間がかかるという問題があった。
そこで本発明では、上述した問題点を解決し、筋肉を緩めることによって筋肉のコリや緊張をほぐすストレッチ効果を短時間で得ることができるストレッチ器具を提供することを目的とする。
【課題を解決するための手段】
【０００４】
上述した問題点を解決するためになされた請求項１に記載されたストレッチ器具は、軸方向に長尺な円柱状のポール部と、横たえた前記ポール部を載せ、前記ポール部を軸周りに回転可能に支持しあるいは軸方向に摺動可能に支持する土台部と、前記ポール部を前記土台部上で予め定められた回転角度内で軸周りに往復回転させ、あるいは、前記ポール部を前記土台部上で予め定められた摺動距離内で軸方向に往復移動させる可動部とを備えることを特徴とする。
このストレッチ器具を用いると、土台部に載ったポール部が可動部によって軸周りに往復回転あるいは軸方向に往復移動し、ポール部に乗っている使用者の体を揺すり筋肉をほぐす。従ってこのストレッチ器具を用いると、ポール部に乗ることにより筋肉が緩められ、さらに、ポール部に体を揺すられることにより筋肉が緩められるので、筋肉を緩める二つの相乗効果により、筋肉のコリや緊張をほぐすストレッチ効果を短時間で得ることができる。
次に、請求項２に記載したように、土台部は、ポール部を軸周りに軸回転可能あるいは軸方向に摺動可能に案内する案内溝が形成されていることが好ましい。この案内溝が形成されているとポール部が案内溝に沿って軸周りに回転あるいは軸方向に移動するので、ポール部が回転するときにポール部が土台部の上を走って遊端側が曲がってしまったり、ポール部が軸方向に移動するときに可動部がポール部を移動させようとしている方向からポール部がはずれて左右に移動してしまうということがなく安定的にポール部を可動させることができる。
次に、請求項３に記載したように、土台部は、載せているポール部の軸方向に沿って長尺に形成され、可動部は、ポール部の軸方向の一端側に連接され、土台部の長手方向の一端に取り付けられていることが好ましい。このように形成されていると、全体に構造が単純になるので、簡単な作業で本発明のストレッチ器具を製造することができる。
【発明を実施するための最良の形態】
【０００５】
[第１実施形態]
以下、本発明を実施するための最良の形態について図面を用いて説明する。
図１は、本実施形態のストレッチ器具の斜視図である。図２は本実施形態のストレッチ器具の土台部を長手方向に垂直な断面で切断した断面図である。図３は本実施形態のストレッチ器具を使用している様子を示す説明図である。
【０００６】
本実施形態のストレッチ器具１は、ポール部３と、土台部５と、可動部７とからなる。
ポール部３は軸方向に長尺な円柱状に形成されており、軸方向の長さが８５０ｍｍ、半径７５ｍｍで形成されている。
【０００７】
土台部５は横たえたポール部３の軸方向に沿って長尺な平板状に形成され、ポール部３を軸周りに軸回転可能あるいは軸方向に摺動可能に案内する案内溝５０（図２参照）が、幅方向の中央に形成されている。この案内溝５０は、ポール部３を軸周りに回転可能に支持しあるいは軸方向に摺動可能に支持するため、ポール部の外周形状に沿って形成され、しかも、ポール部３との摩擦を抑えるため、表面は滑合加工が施されている。
【０００８】
可動部７は、ポール部３の軸方向の一端側に連接され、土台部の長手方向の一端に取り付けられている。また可動部７は筐体７０の内部に図示しないモーターが組み込まれており、ポール部３を土台部３上で予め定められた回転角度内で軸周りに往復回転させ（図２中のβ）、あるいは、ポール部３を土台部３上で予め定められた摺動距離内で軸方向（図１中のα）に往復移動させる。またこの可動部７には、一般のコンセントからモーターに電力を供給するための電源線７２と、モーターのＯＮ、ＯＦＦを操作するための操作スイッチ７４を備えている。この可動部７でポール部３を軸方向に往復移動させる範囲（図１中のα）は２０ｍｍである。往復移動させる速さは９０往復／分である。また、この可動部７でポール部３を往復回転させる範囲（図２中のβ）は３０°である。往復回転させる速さは３５回／分である。
【０００９】
以上のように構成されたストレッチ器具１は、図３に示すように、ポール部３の上に使用者の身体を乗せた状態で可動部７を可動させて使用する。このとき土台部５に載ったポール部３が可動部７によって軸周りに往復回転あるいは軸方向に往復移動し、ポール部３に乗っている使用者の体を揺すり筋肉をほぐす。
従ってこのストレッチ器具１を用いると、ポール部３に乗ることにより筋肉が緩められ、さらに、ポール部３で体を揺すられることにより筋肉が緩められるので、筋肉を緩める二つの相乗効果により、筋肉のコリや緊張をほぐすストレッチ効果を短時間で得ることができる。ポール部３が上述したような大きさであると、その効果は顕著である。
また、このストレッチ器具１は、土台部５に案内溝５０が形成されており、ポール部３が案内溝５０に沿って軸周りに回転あるいは軸方向に移動するので、ポール部３が回転するときにポール部３が土台部５の上を走り遊端側が曲がってしまったり、ポール部３が軸方向に移動するときに可動部７のモーターがポール部３を移動させようとしている方向からポール部３がはずれて左右に移動してしまうことがなく安定的にポール部３を可動させることができる。
さらに、このストレッチ器具１は、可動部７が、土台部５の長手方向の一端に取り付けられ、ポール部３の軸方向の一端側に連接された全体に単純な構造なので、簡単な作業で製造することができる。
[第２実施形態]
次に、第２実施形態について説明する。
ここで、図５は、第２実施形態のストレッチ器具１ａの斜視図、図６は第２実施形態のストレッチ器具１ａの説明図で、（ａ）が平面図（一部透過図）、（ｂ）が側面図（一部透過図）、（ｃ）が（ａ）のＡ−Ａ’断面図である。
本実施形態のストレッチ器具１ａは、図５，６に示すように、ポール部３ａと、土台部５ａと、可動部７ａとからなる。
ポール部３ａは長尺状に形成され、横たえた形状が、水平面に対し垂直かつ長手方向に垂直な断面が上方に向かって凸な半円形状に形成されている。そして、このポール部３ａは、長手方向（軸方向）の長さが８５０ｍｍ、断面の半径が７５ｍｍに形成されている。また、このポール部３ａの下面には、複数の車輪３０ａが取り付けられており、各車輪３０ａは、ポール部３ａの長手方向に沿って移動するよう取り付けられている。
【００１０】
土台部５ａは長尺な形状に形成され、ポール部３ａの長手方向と土台部５ａの長手方向とが並行になるようにポール部３ａを載せると、ポール部３ａの下部がその長手方向に沿って摺動可能な状態で嵌合する摺動溝５０ａが形成されている。そしてこの摺動溝５０ａの内底面５０ｂには、ポール部３ａの下面に取り付けられた車輪３０ａが嵌って走る車輪溝５０ｃが土台部５ａの長手方向に沿って形成されている。
【００１１】
可動部７ａは、モーター７０ａ、小歯車７０ｂ、大歯車７０ｃ、伝達軸７０ｄ、クランク軸７０ｅ、立部７０ｆ、伝達具７０ｇ、溝部７０ｈ、摺動軸７０ｉを備えている。
この可動部７ａは、土台部５ａの長手方向の一端側の土台部５ａ上に設置されており、前述したポール部３ａは、この可動部７ａが設置されている部分の近傍から土台部５ａの他端側までの部分に摺動可能に設置されている。また可動部７ａは、モーター７０ａから摺動軸７０ｉまでを保護するためのカバー７１を備えている。このカバー７１は、ポール部３ａが可動部７ａ側に移動したとき、ポール部３ａの可動部７ａ側の長手方向一端側がその内部に収納可能に形成されている。
【００１２】
モーター７０ａは、土台部５ａの最も端部側に、ポール部３ａの長手方向に対し駆動軸が横向きになるように設置されている。そしてこのモーター７０ａの先端に小歯車７０ｂが取り付けられている。
【００１３】
伝達軸７０ｄは、モーター７０ａのポール部３ａ側にモーター７０ａに隣接して配置され、小歯車７０ｂと回転軸が並行になるよう、土台部５ａに回転可能に固定されている。大歯車７０ｃは、この伝達軸７０ｄの一端に、小歯車７０ｂに対してかみ合うように設置されている。一方、伝達軸７０ｄの他端側には、クランク軸７０ｅの一端が、伝達軸７０ｄの軸中心からずれた位置に取り付けられている。
【００１４】
立部７０ｆは、伝達軸７０ｄのさらにポール部３ａ側の土台部５ａ上に固定して立設されている。この立部７０ｆは、一対備えられており、ポール部３ａの長手方向に沿ってそれぞれ並行に配置され、また、ポール部３ａの長手方向に垂直な方向に所定間隔をおいて一列に並んで配置されている。そして各立部７０ｆの対向する所定位置には、ポール部３ａの長手方向に沿って形成された溝部７０ｈが形成されており、摺動軸７０ｉの各端部は各溝部７０ｈに挿入され、溝部７０ｈに沿って移動可能に配置されている。そして、クランク軸７０ｅの他端は、この立部７０ｆの間に配置され、摺動軸７０ｉに取り付けられている。
【００１５】
これらクランク軸７０ｅ、溝部７０ｈ、摺動軸７０ｉを用いると、クランク軸７０ｅの一端が伝達軸７０ｄの軸中心からずれた位置に取り付けられているので、伝達軸７０ｄがが回転すると、クランク軸７０ｅの一端が伝達軸７０ｄの軸中心を周る運動をし、その運動によって、クランク軸７０ｅは、ポール部３ａの長手方向にずれる方向へも運動する。そして、クランク軸７０ｅの他端側の摺動軸７０ｉが取り付けられた溝部７０ｈがポール部３ａの長手方向に沿って形成されているので、伝達軸７０ｄの回転運動が、クランク軸７０ｅを介することにより、ポール部３ａの長手方向に沿った往復運動に変換される。すなわち、モーター７０ａの回転運動が、ポール部３ａの長手方向に沿った往復運動に変換される。
伝達具７０ｇは、一端がポール部３ａに固定され、他端が摺動軸７０ｉに取り付けられている。この伝達具７０ｇは、摺動軸７０ｉがポール部３ａの長手方向に沿って摺動するので、その往復運動がこの伝達具７０ｇを介してポール部３ａに伝えられる。
また、この可動部７ａは、図５（ｃ）に示すように、上面に蓋部７０ｊが設けられ、この蓋部７０ｊをあけるとモーター等のメンテナンスをすることができる。尚、本実施形態では、第１実施形態で説明した電源線と、操作スイッチの説明は省略する。
このように構成された可動部７ａでポール部３ａを長手方向に往復移動させる範囲は２０ｍｍで、往復移動させる速さは９０往復／分である。
そしてこのストレッチ器具１ａは、第１実施形態の図３で示したように、ポール部３ａの上に使用者の身体を乗せて可動部７ａを可動させて使用する。すると、土台部５ａに載ったポール部３ａが軸方向に往復移動するので、ポール部３ａに乗っている使用者の体を揺すり筋肉がほぐされる。
従ってこのストレッチ器具１ａを用いると、ポール部３に乗ることにより筋肉が緩められ、さらに、ポール部３ａで体を揺すられることにより筋肉が緩められるので、筋肉を緩める二つの相乗効果により、筋肉のコリや緊張をほぐすストレッチ効果を短時間で得ることができる。ポール部３ａが上述したような大きさであると、その効果は顕著である。
また、このストレッチ器具１ａは、可動部７ａが、土台部５ａの長手方向の一端に取り付けられ、ポール部３ａの軸方向の一端側に連接された全体に単純な構造なので、簡単な作業で製造することができる。
尚、以上本発明の一実施形態ついて説明したが、本発明はこの実施形態に何等限定されるものではなく、本発明の要旨を逸脱しない範囲において、種々なる態様で実施し得ることは勿論である。
例えば、上記第１実施形態では、案内溝５０を滑合加工したが、図４に示すように、案内溝５０内にあらゆる方向に載せられたものを送ることができる自在コロ５２を複数設置し、案内溝５０と接触するポール部３の接触面に自在コロ５２との接触面が滑合された金属性のカバー３２を取り付け、可動部７はこのカバー３２に取り付けられて、ポール部３を可動するようにしてもよい。
ポール部３，３ａの半径は、７０〜８０ｍｍのものであればよく、上記実施形態の７５ｍｍのものが最も好ましい。また軸方向長さは、８００ｍｍ〜１２００ｍｍのものであればよく、上記実施形態の９５０ｍｍのものが最も好ましい。
可動部７、７ａでポール部３、３ａを軸方向に往復移動させる範囲（図１中のα）は１５から２５ｍｍが好ましく、より好ましくは上記実施形態のように２０ｍｍである。往復移動させる速さは、７０〜１２０往復／分が好ましく、より好ましくは上記実施形態のように９０往復／分である。
可動部７でポール部３を往復回転させる範囲（図２中のβ）は、２０°〜６０°が好ましく、より好ましくは上記第１実施形態のように３０°である。往復回転させる速さは、２５〜４５回／分が好ましく、より好ましくは上記第１実施形態のように３５回／分である。
【図面の簡単な説明】
【００１６】
【図１】第１実施形態のストレッチ器具の斜視図である。
【図２】第１実施形態のストレッチ器具の土台部５を長手方向に垂直な断面で切断した断面図である。
【図３】第１実施形態のストレッチ器具を使用している様子を示す説明図である。
【図４】他の実施形態の説明図で、土台部５を長手方向に垂直な断面で切断した断面図である。
【図５】第２実施形態のストレッチ器具の斜視図である。
【図６】第２実施形態のストレッチ器具の説明図で、（ａ）は平面図。（ｂ）は側面図、（ｃ）は側面図である。
【図７】本実施形態のストレッチ器具の他の実施形態を説明するための説明図である。
【符号の説明】
【００１７】
１…ストレッチ器具、３…ポール部、５…土台部、７…可動部、３２…カバー、５０…案内溝、５２…自在コロ、７０…筐体、７２…電源線、７４…操作スイッチ
【図１】
2006149549.tif 000003
【図２】
2006149549.tif 000004
【図３】
2006149549.tif 000005
【図４】
2006149549.tif 000006
【図５】
2006149549.tif 000007
【図６】
2006149549.tif 000008
【図７】
2006149549.tif 000009